(57)【特許請求の範囲】
【請求項１】
ノズルの先端に形成された開口部より容器からの内容物が注出される合成樹脂製のノズル付きキャップに、
当該ノズルの先端に密着して開口部を閉じる密封部を有して当該密封部を取り除くための把持部が形成された合成樹脂製の密封部材を設け、
当該密封部材又はノズル付きキャップは、当該ノズル付きキャップ又は密封部材をインサート品として互いに異なる樹脂を用いて剥離可能に一体に成形されたものであり、
前記密封部は、ノズルの通路の内壁全域に密着する凸部を有することを特徴とする、ノズル付き密封キャップ。
【請求項２】
請求項１において、前記密封部材は、可撓性を有する樹脂からなることを特徴とする、ノズル付き密封キャップ。
【請求項３】
請求項１又は２において、前記密封部材は、ノズル付きキャップに形成した凹部に固定される突起を備えることを特徴とする、ノズル付き密封キャップ。
【請求項４】
請求項１乃至３のいずれか１項において、前記密封部材は、ノズルキャップの周壁の周方向への引き倒しによって前記密封部を側方から引き剥がすものであることを特徴とする、ノズル付き密封キャップ。
【請求項５】
請求項４において、前記密封部材は、前記周壁の左右いずれか一方に延在して当該周壁に密着する周壁部を有して、当該周壁部に前記把持部を繋げることで、その周方向への引き倒しによって前記密封部を側方から引き剥がすものであることを特徴とする、ノズル付き密封キャップ。
【請求項６】
請求項４において、ノズル付きキャップは、前記ノズルとキャップ軸線を挟んで対向する位置に他のノズルを備え、
前記密封部材は、前記周壁の左右いずれか一方に延在して当該周壁に密着すると共に、一方のノズルの前記密封部を他方のノズルの前記密封部に連結する第１の周壁部と、いずれか一方の前記密封部に繋がると共に、前記周壁の他方に延在して当該周壁に密着する第２の周壁部とを有して、
当該第２の周壁部に前記把持部を繋げることで、その周方向への引き倒しによって前記密封部を順次それぞれ側方から引き剥がすものであることを特徴とする、ノズル付き密封キャップ。
【請求項７】
請求項４において、前記密封部材は、前記周壁の左右両方に延在して当該周壁に密着する周壁部を有して、当該周壁部の上方に、指を引っ掛けるための開口部を形成するように前記把持部を繋げることで、その周方向への引き倒しによって前記密封部を側方から引き剥がすものであることを特徴とする、ノズル付き密封キャップ。
【請求項８】
請求項１乃至３のいずれか１項において、前記密封部材は、その引き上げによって当該密封部を下方から引き剥がすものであることを特徴とする、ノズル付き密封キャップ。
【請求項９】
請求項８において、ノズル付きキャップは、前記ノズルとキャップ軸線を挟んで対向する位置に他のノズルを備え、
前記密封部材は、ノズル付きキャップの天壁の上方に掛け渡された掛渡し部を介して２つの前記密封部を連結したものであることを特徴とする、ノズル付き密封キャップ。
【請求項１０】
請求項１乃至３のいずれか１項において、前記密封部材は、その引き倒しによって前記密封部を上方から引き剥がすものであることを特徴とする、ノズル付き密封キャップ。
【請求項１１】
請求項１乃至３のいずれか１項において、前記密封部材は、ノズル付きキャップの天壁に密着する天壁部を有して、当該天壁部に前記把持部を繋げることで、その引き上げによって前記密封部を上方から引き剥がすものであることを特徴とする、ノズル付き密封キャップ。
【請求項１２】
請求項１乃至３のいずれか１項において、前記密封部材は、前記密封部からノズル付きキャップの周壁の周方向の左右両方に延在して当該周壁に密着し、そのノズル周りの回転又はノズル軸線方向の引っ張りによって前記密封部を引き剥がすものであることを特徴とする、ノズル付き密封キャップ。
【請求項１３】
請求項１２において、前記密封部は、ノズル全体を覆うものであることを特徴とする、ノズル付き密封キャップ。
【請求項１４】
請求項１乃至３のいずれか１項において、前記密封部材は、前記周壁を取り囲む環状体であって、前記把持部の引っ張りによる拡大を許容する折り畳み部を備えることを特徴とする、ノズル付き密封キャップ。
【発明の詳細な説明】
【技術分野】
【０００１】
本発明は、容器の口部に装着されて開口部を通して内溶液が注出されるノズル付きキャップであって、その未使用状態を視認できると共に、使用に際して容易に取り外すことのできるノズル付き密封キャップに関するものである。
【背景技術】
【０００２】
容器に装着されるキャップとしては、「醤油さし」のように、ノズルの先端に形成された開口部を通して内容物の注出を行うことができるノズル付きキャップがある。こうしたノズル付きキャップは、従来、容器と共に薄いフィルム（シート）を被せて密封することで、その未使用状態を維持していた（例えば、特許文献１参照）。
【先行技術文献】
【特許文献】
【０００３】
【特許文献１】実開昭６２−４０９２３号公報
【発明の概要】
【発明が解決しようとする課題】
【０００４】
しかしながら、フィルムを被せて未使用状態を維持する場合、キャップの生産と別工程で行う必要があり、容器に適用して製品とする際の生産性についても改善の余地があった。
【０００５】
また、フィルムを被せる場合には、使用に際し、フィルムを剥がさなければならないところ、フィルムを剥がし難い場合等の理由で、改善の余地があった。
【０００６】
本発明の目的とするところは、密封部材を一体に設けることができると共に、使用に際しての取り外しの容易な、新規なノズル付き密封キャップを提供することにある。
【課題を解決するための手段】
【０００７】
本発明は、ノズルの先端に形成された開口部より容器からの内容物が注出される合成樹脂製のノズル付きキャップに、
当該ノズルの先端に密着して開口部を閉じる密封部を有して当該密封部を取り除くための把持部が形成された合成樹脂製の密封部材を設け、
当該密封部材又はノズル付きキャップは、当該ノズル付きキャップ又は密封部材をインサート品として互いに異なる樹脂を用いて剥離可能に一体に成形されたものであり、
前記密封部は、ノズルの通路の内壁全域に密着する凸部を有することを特徴とするものである。
【発明の効果】
【０００８】
本発明によれば、密封部材は、ノズル付きキャップの一部として一体成形することができる。このため、容器に適用して製品とする際には、容器の口部に装着すればよい。従って、本発明は、容器に適用して製品とする際の生産性に優れる。
【０００９】
また、ノズル付きキャップと密封部材とを一体成形したことで、ノズル付きキャップと密封部材とは擬似接着されているにすぎない。このため、ノズル付きキャップの開封を容易に行うことができる。更に、密封部材はノズル付きキャップ全体を覆うのではなく、当該キャップの一部として局所的に一体成形されているので、キャップの開封を容易に行うことができる。
【００１０】
従って、本発明によれば、密封部材を一体に設けることができると共に、使用に際しての取り外しの容易な、新規なノズル付き密封キャップを提供することができる。
【図面の簡単な説明】
【００１１】
【図１】(a)は、本発明のノズル付き密封キャップの第１の形態を示す斜視図であり、(b)は、密封部材を引き剥がしたノズル付きキャップを示す斜視図である。本発明の第２の形態を示す斜視図である。
【図２】図１のＡ−Ａ断面図である。
【図３】図２のＢ−Ｂ断面図であって、容器の口部に装着した状態を示す。
【図４】(a)は、第１の形態の変形例を示す要部斜視図であり、(b)は、本発明の第２の形態を示す斜視図である。
【図５】(a)は、本発明の第３の形態を示す斜視図であり、(b)は、本発明の第４の形態を示す斜視図である。
【図６】(a)は、本発明の第５の形態を示す斜視図であり、(b)は、本発明の第６の形態を示す斜視図である。
【図７】(a)は、本発明の第７の形態を示す斜視図であり、(b)は、本発明の第８の形態を示す斜視図である。
【図８】(a)は、本発明の第９の形態を示す斜視図であり、(b)は、本発明の第９の形態を示す斜視図である。
【発明を実施するための形態】
【００１２】
以下、図面を参照して、本発明である、ノズル付き密封キャップの様々な形態を詳細に説明する。
【００１３】
図１(a)は、本発明の第１の形態である。符号１は、図１(b)に示すように、天壁２とこの天壁２から垂下する周壁３とを有し、この周壁３に２つのノズル４が形成された合成樹脂製のノズル付きキャップである。ノズル付きキャップ１は、図３に示すように、その内側にめねじ部１ｓを有し、中栓５０に形成されたおねじ５０ｓにねじ付けられる。中栓５０は、切り離し可能な封止栓５１を有し、容器１００の口部１１０に嵌合保持されている。
【００１４】
ノズル４の先端４ａには、図１(b)に示すように、開口部Ａ1が形成されている。また、ノズル付きキャップ１は、図３に示すように、中栓５０との間に空間Ｓを形成し、この空間Ｓに、封止栓５１に繋がるプルリング５２を収納する。これにより、ノズル付きキャップ１を中栓５０から取り外して封止栓５１を抜栓した後、再度、中栓５０にねじ付けると、ノズル４に形成された通路５を通して容器１００の内容液を開口部Ａにより注出できる。
【００１５】
符号６は、開口部Ａを密封する合成樹脂製の密封部材である。密封部材６は、ノズル４の先端４ａに密着して開口部Ａ1を閉じる密封部６ａを有して、この密封部６ａを取り除くための把持部６ｂが一体に成形されている。
【００１６】
密封部材６は、例えば、ノズル付きキャップ１に対して密封部材６をインサート品として、互いに異なる樹脂を用いて剥離可能に一体に射出成形されている。また、密封部６ａは、開口部Ａ1に密着する凸部６ｐを有する。ノズル付きキャップ１は、例えば、ポリプロピレンで構成されている。また、密閉部材６は、例えば、可撓性を有するエラストマ等で構成されている。
【００１７】
更に詳細には、密封部材６は、図１(a)等に示すように、周壁３の左右いずれか一方に延在して当該周壁３に密着する周壁部６ｃを有して、当該周壁部６ｃに把持部６ｂを繋げることで、その周方向への引き倒しによって密封部６ａを側方から引き剥がすものである。
【００１８】
本形態では更に、密封部６ａと周壁部６ｃとの間がノズル４の側面に密着して当該ノズル４に沿って延在する延長部６ｄを介して一体に連結されている。
【００１９】
本発明によれば、密封部材６は、ノズル付きキャップ１の一部として一体成形することができる。このため、容器１００に適用して製品とする際には、容器１００の口部１１０に装着すればよい。従って、本発明は、図３に示すように、容器１００に適用して製品とする際の生産性に優れる。
【００２０】
また、ノズル付きキャップ１と密封部材６とを一体成形したことで、ノズル付きキャップ１と密封部材６とは擬似接着されているにすぎない。このため、ノズル付きキャップ１の開封を容易に行うことができる。更に、密封部材６は、図１(a)等に示すように、ノズル付きキャップ１の全体を覆うのではなく、当該キャップ１の一部として局所的に一体成形されているので、キャップ１の開封を容易に行うことができる。
【００２１】
従って、本発明によれば、密封部材６を一体に設けることができると共に、使用に際しての取り外しの容易な、新規なノズル付き密封キャップを提供することができる。
【００２２】
また、本形態の如く、密封部６ａに、開口部Ａに密着する凸部６ｐを一体に成形すれば、開口部Ａに対する密閉性が向上する。
【００２３】
また、本形態の如く、密封部材６を、エラストマ等の、可撓性を有する樹脂からなるものとすれば、比較的容易な開封操作を実現することができる。
【００２４】
更に、本発明に従えば、密封部材６は、図４(a)に示すように、周壁３に形成した凹部３ａに固定される突起６ｅを一体に設けることができる。この場合、密封部材６の引き剥がしに要する力を突起６ｅ及び凹部３ａの個数や形状等により適宜調整することができる。
【００２５】
同様に、本形態の如く、ノズル４に延長部６ｄを密着させれば、密封部材６の引き剥がしに要する力を周壁３との密着面積に応じて適宜調整することができる。
【００２６】
なお、本形態では、ノズル４は、キャップ軸線Ｏ1を挟んで対向する位置にそれぞれ、１つずつ、計二箇所に設けられ、密封部材６もノズル４のそれぞれに設けられている。但し、本発明に従えば、密封部材６は、少なくともいずれか一方のノズル４で足りる。
【００２７】
図４(b)は、本発明の第２の形態である。なお、他の形態と同一の部分は、同一の符号をもって、その説明を省略する。
【００２８】
本形態は、第１の形態の変形例である。密封部材６は、周壁３の左右いずれか一方に延在して当該周壁３に密着すると共に、一方のノズル４の密封部６ａ1を他方のノズル４の密封部６ａ2に連結する第１の周壁部６ｃ1と、当該密封部６ａ2に繋がると共に、周壁３の他方に延在して当該周壁３に密着する第２の周壁部６ｃ2とを有して、当該第２の周壁部６ｃ2に把持部６ｂを繋げたものである。
【００２９】
これにより、本形態は、把持部６ｂの周方向への引き倒しによって密封部６ａ2，６ａ1を順次それぞれ側方から引き剥がすことができる。即ち、上述の第１の形態では、２つのノズル４を個別的に開封できるものであるのに対し、本形態では、使用者が、把持部６ｂを握って周壁３の周りに引っ張るという、一連の操作で、２つのノズル４を一度に開封することができる。
【００３０】
図５(a)は、本発明の第３の形態である。なお、他の形態と同一の部分は、同一の符号をもって、その説明を省略する。
【００３１】
本形態も、第１の形態の変形例である。密封部材６は、周壁３の左右両方に延在して当該周壁３に密着する周壁部６ｃを有して、当該周壁部６ｃの上方に、指を引っ掛けるための開口部Ａ2を形成するように把持部６ｂを繋げたものである。
【００３２】
これにより、使用者が指を開口部Ａ2に通して把持部６ｂに引っ掛けて引っ張れば、把持部６ｂと周壁部６ｃとを連結する柱部６ｅを起点とした、把持部６ｂの周方向への引き倒しによって密封部６ａをその両側方から引き剥がすことができる。このため、第２の形態の効果に加え、把持部６ｂを掴むことなく、比較的容易に開封することができる。
【００３３】
なお、本形態も、ノズル４が二箇所に設けられ、密封部材６もノズル４のそれぞれに設けられている。但し、本発明に従えば、密封部材６は少なくともいずれか一方のノズル４で足りる。
【００３４】
上述したところは、密封部材６を周方向に引き倒すことによって密封部６ａを側方から引き剥がすものであるが、本発明に従えば、密封部材６は、その引き上げによって当該密封部６ａを下方から引き剥がすこともできる。
【００３５】
図５(b)は、把持部６ｂを下向きに垂下させた本発明の第４の形態である。なお、他の形態と同一の部分は、同一の符号をもって、その説明を省略する。
【００３６】
本形態において、密封部材６は、天壁２の上方に間隔を空けて掛け渡された掛渡し部６ｆを介して２つの密封部６ａを一体に連結したものである。本形態は、密封部６ａと把持部６ｂとが一体に構成されている。
【００３７】
なお、本形態も、ノズル４が二箇所に設けられ、密封部６ａもノズル４のそれぞれに設けられている。但し、本発明に従えば、掛渡し部６ｆを省略することにより、密封部６ａを少なくともいずれか一方のノズル４のみにすることもできる。
【００３８】
本形態によれば、下方に垂下する把持部６ｂの引き上げによって、密封部６ａを下方から引き剥がすことができる。この場合、周壁３の周方向に密封部材６を延在させられない場合に有効である。特に、本形態では、２つのノズル４の開封を個別に行うことができる。
【００３９】
更に、本発明に従えば、密封部材６は、その引き倒しによって密封部６ａを上方から引き剥がすこともできる。
【００４０】
図６(a)は、把持部６ｂを上向きに起立させた本発明の第５の形態である。なお、他の形態と同一の部分は、同一の符号をもって、その説明を省略する。
【００４１】
本形態において、密封部材６は、密封部６ａと把持部６ｂとの間がノズル４の側面に密着して当該ノズル４に沿って延在する延長部６ｄを介して一体に連結されている。また、把持部６ｂは、当該把持部６ｂの一部が周壁３に密着している。
【００４２】
本形態によれば、上方に起立する把持部６ｂの引き倒しによって、密封部６ａを上方から引き剥がすことができる。この場合も、周壁３の周方向に密封部材６を延在させられない場合に有効である。特に、本形態では、同形態のノズル付きキャップ１のように、ノズル４が１つだけのキャップの場合に有効である。
【００４３】
また、本形態の如く、把持部６ｂの一部を周壁３に密着させれば、ノズル４に延長部６ｄを密着させた場合と同様、密封部材６の引き剥がしに要する力を周壁３との密着面積に応じて適宜調整することができる。
【００４４】
図６(b)は、把持部６ｂを上向きに起立させた本発明の第６の形態である。なお、他の形態と同一の部分は、同一の符号をもって、その説明を省略する。
【００４５】
本形態は、第５の形態の変形例である。密封部材６は、天壁２に密着する天壁部６ｇを有して、当該天壁部６ｇに把持部６ｂを一体に繋げたものである。天壁部６ｇは、天壁２に形成された貫通孔（外気導入孔）３ｈを密封する。
【００４６】
本形態によれば、同図に示すように、開口部Ａ1と共に外気導入孔３ｈを密封することができる。また、使用者が把持部６ｂを摘んで、或いは、指を引っ掛けて引き上げれば、天壁部６ｇが天壁２から引き剥がされることで、外気導入孔３ｈが開放されるに次いで、密封部６ａを上方から引き剥がすことで開口部Ａ1を開封できる。このため、使用者による一連の操作で、開口部Ａ1と共に、外気導入孔３ｈを開放することができる。
【００４７】
また、本形態の場合も、密封部６ａと天壁部６ｇとの間が延長部６ｄ及び周壁部６ｃを介して一体に連結されている。このため、密封部材６の引き剥がしに要する力をノズル４及び周壁３との密着面積に応じて適宜調整することができる。
【００４８】
なお、第５及び第６の形態ではそれぞれ、図６に示すように、ノズル４の断面形状を半円形とすることにより、上側に平坦面４ｆが形成されている。この場合、密封部材６の引き剥がしが比較的容易になるという利点がある。但し、本発明に従えば、ノズル４の形状については限定されない。
【００４９】
更に、本発明に従えば、密封部材６は、ノズル４周りの回転又はノズル軸線Ｏ2方向の引っ張りによって密封部６ａを引き剥がすこともできる。
【００５０】
図７(a)は、本発明の第７の形態である。なお、他の形態と同一の部分は、同一の符号をもって、その説明を省略する。
【００５１】
本形態では、密封部材６は、密封部６ａに対して把持部６ｂを一体に繋いだものである。把持部６ｂは、同図に示すように、密封部６ａから周壁３の周方向の左右両方に延在して当該周壁３にノズル４と共に密着している。
【００５２】
本形態によれば、使用者が把持部６ｂを摘んで、ノズル４周りに回転させ、又は、ノズル軸線Ｏ2方向に引っ張れば、密封部材６全体として、密封部６ａを引き剥がすことができる。この場合も、周壁３の周方向の広い範囲に密封部材６を延在させられない場合に有効である。また、本形態では、ノズル４が１つだけのキャップの場合に有効である。
【００５３】
図７(b)は、本発明の第８の形態である。なお、他の形態と同一の部分は、同一の符号をもって、その説明を省略する。
【００５４】
本形態は、第７の形態の変形例である。密封部材６は、密封部６ａがノズル４全体を覆うものである。即ち、密封部材６は、同図に示すように、周壁３と共にノズル４の全体に密着している。
【００５５】
本形態は、上述した第７の形態の効果に加え、ノズル４のカバーとしての機能も兼ね備えている。なお、第７及び第８の形態も、ノズル４が二箇所に設けられ、密封部材６もノズル４のそれぞれに設けられている。但し、本発明に従えば、密封部材６を少なくともいずれか一方のノズル４のみにすることもできる。
【００５６】
更に、本発明に従えば、密封部材６を、周壁３を取り囲む環状体とし、その径方向外側への拡張によって密封部６ａを引き剥がすこともできる。
【００５７】
図８は、本発明の第９の形態である。なお、他の形態と同一の部分は、同一の符号をもって、その説明を省略する。
【００５８】
本形態において、密封部材６は、周壁３を取り囲む帯状の環状体であって、把持部６ｂの引っ張りによる拡大を許容する折り畳み部６ｓを備えている。密封部材６は、周壁３の周りに間隔を空けて配置され、折り畳み部６ｓは、図８(b)に示すように、周壁３と局所的に密着している。また、把持部６ｂは、密封部６ａと一体に設けられている。
【００５９】
本形態では、使用者が把持部６ｂを摘んで径方向外側に引っ張れば、把持部６ｂ側の密封部６ａ1がノズル４の先端４ａから引き剥がされると共に、折り畳み部６ｓが周壁３から引き剥がされて伸張することによって、他方の密封部６ａ2もノズル４の先端４ａから引き剥がすことができる。
【００６０】
これにより、本形態では、使用者が、把持部６ｂを握って引っ張るという、一連の操作で、２つのノズル４を一度に開封することができる。また、本形態では、把持部６ｂを密封部６ａ1の下側の位置に配置したことで、密封部材６を引き上げることで、容易に引き剥がすことができる。
【００６１】
なお、本形態では、折り畳み部６ｓのみが周壁３に対して局所的に密着しているが、折り畳み部６ｓを除く、部分全体を隙間なく密着させることもできる。本形態も、ノズル４が二箇所に設けられ、密封部６ａもノズル４のそれぞれに設けられている。但し、本発明に従えば、密封部６ａを少なくともいずれか一方のノズル４のみにすることもできる。
【００６２】
上述したところは、本発明の一形態を示したにすぎず、特許請求の範囲内において、種々の変更を加えることができる。本発明に従えば、例えば、ノズル付き密封キャップは、密封部材に対してノズル付きキャップをインサート品として互いに異なる樹脂を用いてノズル付きキャップを剥離可能に一体に成形することもできる。また、密封部材６は、ノズル付きキャップ１と異なる色彩のものとすることができる。この場合、未使用状態を視覚的に認識し易くなる。また、ノズル付き密封キャップは、中栓５０を介在させることなく、容器口部１１０に直接装着することができる。更に、各形態に採用された各構成はそれぞれ、互いに適宜組み合わせることができる。
【産業上の利用可能性】
【００６３】
本発明は、ノズルの先端に形成された開口部より内容物を注出が行われる合成樹脂製のノズル付きキャップであれば、様々なものに適用することができる。
【符号の説明】
【００６４】
１    ノズル付きキャップ
２    天壁
３    周壁
４    ノズル
４ａ  ノズル先端
５    ノズル通路
６    密封部材
６ａ  密封部
６ｂ  把持部
６ｃ  周壁部
６ｄ  延長部
６ｅ  突起
６ｆ  掛渡し部
６ｓ  折り畳み部
【図１】
0005658026.tif 000002
【図２】
0005658026.tif 000003
【図３】
0005658026.tif 000004
【図４】
0005658026.tif 000005
【図５】
0005658026.tif 000006
【図６】
0005658026.tif 000007
【図７】
0005658026.tif 000008
【図８】
0005658026.tif 000009